(57)【要約】【課題】  スプリングリターン時に衝撃力を確実に緩和でき、軽い操作力で手動操作でき、簡単な構造で部品点数の増加を抑えて安価に製造可能であり、歯車列の設計時の自由度が高く、動力伝達時のロスを抑えて確実に出力側まで伝達できるコンパクトなスプリングリターン式電動アクチュエータを提供すること。【解決手段】  モータ１３に歯車列１８を介して出力軸１２を回転自在に設け、一方、モータ１３で巻き上げたスプリング１４の蓄勢力で出力軸１２を逆回転させる。歯車列１８の一部にギヤ２３とピニオン２５とを組合わせた歯車体２８を設ける。歯車体２８は、ギヤ２３とピニオン２５との組合わせ位置にそれぞれらせん状の突起部２４、２６を設けて噛合させ、突起部２４、２６同士は噛合する回転方向では回転伝達が行われ、突起部２４、２６同士が滑る回転方向では回転伝達が行われないラチェット機構としたスプリングリターン式電動アクチュエータである。【選択図】      図１
2006316844.tif 000002
【特許請求の範囲】
【請求項１】
モータに歯車列を介して出力軸を回転自在に設け、一方、モータで巻き上げたスプリングの蓄勢力で出力軸を逆回転させるようにしたスプリングリターン式電動アクチュエータにおいて、前記歯車列の一部にギヤとピニオンとを組み合わせた歯車体を設け、この歯車体は、前記ギヤとピニオンとの組合わせ位置にそれぞれらせん状の突起部を設けて噛合させ、前記突起部同士は噛合する回転方向では回転伝達が行われ、前記突起部同士が滑る回転方向では回転伝達が行われないラチェット機構としたことを特徴とするスプリングリターン式電動アクチュエータ。
【請求項２】
前記歯車体に、前記ギヤとピニオンとが噛合する方向に弾発付勢させる弾性体を設けた請求項１記載のスプリングリターン式電動アクチュエータ。
【請求項３】
前記弾性体は、コイルばねであり、このコイルばねを前記ギヤの下面に支受けさせた請求項２記載のスプリングリターン式電動アクチュエータ。
【請求項４】
前記弾性体は、金属、ゴム、樹脂等の材料である請求項２又は３記載のスプリングリターン式電動アクチュエータ。
【請求項５】
前記弾性体は、前記ギヤとピニオンのうちの何れか一方又は双方に一体に設けた請求項２乃至４の何れか１項に記載のスプリングリターン式電動アクチュエータ。
【発明の詳細な説明】
【技術分野】
【０００１】
本発明は、スプリングリターン式電動アクチュエータに関し、例えば、ボールバルブやバタフライバルブ等の回転弁に好適な電動アクチュエータに関する。
【背景技術】
【０００２】
従来より、モータに通電し、モータからの回転力を出力軸に伝達してバルブを開又は閉に駆動させ、一方、モータへの通電を切ることにより、通電時の駆動力で巻き上げたスプリングの蓄勢力を利用して出力軸を逆回転させてバルブを閉又は開に駆動させたり、或は、停電時などにスプリングの蓄勢力を緊急に解除してばねの戻しトルクでバルブを全閉状態にするようにしたスプリングリターン式の電動アクチュエータが知られている。
【０００３】
ところで、アクチュエータには、モータからの駆動力を減速歯車列を介して出力軸に伝達するものがあり、このアクチュエータにおいて蓄勢力を蓄えるスプリングを設け、スプリングリターン時に駆動系を逆回転させるようにしたものがある。
この種のアクチュエータの場合、スプリングリターン後に出力軸が回転を停止したときにその慣性力が各歯車及び出力軸の回転を停止するストッパ部に強い衝撃力として作用し、これらを破損するおそれがある。これを防ぐため、歯車列から出力軸への動力伝達過程にワンウェイクラッチを設けるようにしたものがあり、ワンウェイクラッチを歯車列に介在させると、スプリングによる出力軸の逆回転動作時にモータ軸に伝わる衝撃を緩和したり、或は、出力軸の手動操作時にモータ軸を回転させずに済むため、軽い操作力で操作することも可能になる。
【０００４】
ワンウェイクラッチを設けたアクチュエータには、例えば、弁体の回転軸と抵抗板との間にワンウェイクラッチを設け、このワンウェイクラッチによって、ゼンマイバネが巻き戻される方向に回転軸が回転するときには抵抗板が回転軸と一体に回転し、回転軸が停止したときに抵抗板のみがフリー回転するようにしたバルブ用アクチュエータが知られている（例えば、特許文献１参照。）。
【０００５】
減速歯車列内の隣り合う２個の歯車を同じ軸上に軸装し、２個の歯車の一方の内周部に一方向クラッチを固定し、軸に挿通される軸孔が形成されて一方向クラッチの内周部に嵌装される円筒部を他方の歯車に一体に形成し、一方向クラッチが円筒部と連結されているときにこれらの２個の歯車間で回転伝達が行われるようにしたスプリングリターン機構付きの電動アクチュエータがある（例えば、特許文献２参照。）。
【０００６】
一方、遮断弁用のアクチュエータであって、円周方向の複数の爪を有する平歯車とその爪と係合する複数の爪を有するピニオン歯車を有し、ピニオン歯車を平歯車に進退自在に駆動するソレノイドとを含むクラッチ部と、ピニオン歯車の回転を作動シャフトに伝達する歯車減速機構を備えると共に、マイクロスイッチと抵抗を含む制御回路を有し、マイクロスイッチが遮断弁の全開によりオンされて、抵抗を介して直流モータ及びソレノイドに全開を保持する電流が通電されるアクチュエータがある（例えば、特許文献３参照。）。
このアクチュエータは、モータとソレノイドを通電或は非通電にすることによりピニオン歯車と平歯車の噛合を行い、アクチュエータの小型化、及び簡素化を損なわずに開弁保持時の消費電力を低減するものである。
【０００７】
【特許文献１】実開平６−７６７８１号公報
【特許文献２】特許第３３８２７６３号公報
【特許文献３】特開２００５−２０９６７号公報
【発明の開示】
【発明が解決しようとする課題】
【０００８】
しかしながら、特許文献１や特許文献２のようなワンウェイクラッチを利用したアクチュエータは、部品のコストが嵩みアクチュエータ全体のトータルコストがアップし、また、部品点数も増加するという問題があった。
また、ギヤの寸法を、ワンウェイクラッチの形状や寸法に合わせて形成する必要があるため、ギヤの形状や組合わせが限定され、歯車列の設計の自由度が失われる。また、ワンウェイクラッチ分の重量が増し、動力伝達時のトルクロスの発生につながるという問題もあった。
さらには、歯車列内のピニオンとワンウェイクラッチの組合わせ部分の寸法誤差が大きいと、噛み合い時に滑りが生じてモータからのトルクを出力軸側まで伝達できなくなるおそれもあった。
【０００９】
特許文献３のアクチュエータは、減速歯車機構内に平歯車とピニオン歯車を設け、これらの組合わせによってモータからの動力を伝達するようにしたものであるが、非通電時に、ばねによりクラッチを離間させ、通電時にソレノイドでクラッチを接続する構造であるため、ソレノイドなどの部品点数が増加して大型化すると共に、コストアップするという問題もあった。
【００１０】
本発明は、上記した実情に鑑み、鋭意検討の結果開発に至ったものであり、その目的とするところは、スプリングによるリターン時に衝撃力を確実に緩和することができると共に手動操作時に軽い操作力で操作できるスプリングリターン式電動アクチュエータであって、簡単な構造で部品点数の増加を抑えて安価に製造可能であり、歯車列の設計時の自由度が高く、動力伝達時のロスを抑えて確実に出力側まで伝達することができるコンパクトなスプリングリターン式電動アクチュエータを提供することにある。
【課題を解決するための手段】
【００１１】
上記の目的を達成するため、請求項１記載の発明は、モータに歯車列を介して出力軸を回転自在に設け、一方、モータで巻き上げたスプリングの蓄勢力で出力軸を逆回転させるようにしたスプリングリターン式電動アクチュエータにおいて、歯車列の一部にギヤとピニオンとを組合わせた歯車体を設け、この歯車体は、ギヤとピニオンとの組合わせ位置にそれぞれらせん状の突起部を設けて噛合させ、突起部同士は噛合する回転方向では回転伝達が行われ、突起部同士が滑る回転方向では回転伝達が行われないラチェット機構としたスプリングリターン式電動アクチュエータである。
【００１２】
請求項２記載の発明は、歯車体に、ギヤとピニオンとが噛合する方向に弾発付勢させる弾性体を設けたスプリングリターン式電動アクチュエータである。
【００１３】
請求項３記載の発明は、弾性体は、コイルばねであり、このコイルばねをギヤの下面に支受けさせたスプリングリターン式電動アクチュエータである。
【００１４】
請求項４記載の発明は、弾性体は、金属、ゴム、樹脂等の材料であるスプリングリターン式電動アクチュエータである。
【００１５】
請求項５記載の発明は、弾性体は、ギヤとピニオンのうちの何れか一方又は双方に一体に設けたスプリングリターン式電動アクチュエータである。
【発明の効果】
【００１６】
請求項１に係る発明によると、スプリングリターン時の衝撃力を確実に緩和することができ、手動操作時には軽い操作力で操作でき、ワンウェイクラッチを使用することがないため、簡単な構造で部品点数の増加を抑え、安価に製造することができるスプリングリターン式電動アクチュエータである。更に、歯車列全体を樹脂によって形成することができ、低コストで製造することができる。
また、ギヤとピニオンを組合わせることにより１つの歯車からなるラチェット機構を構成することができるため、歯車列全体を自由に設計することができ、アクチュエータ全体を軽量かつコンパクトに形成することもできる。
更に、動力伝達時においては滑りが発生することなく、動力のロスを抑えて確実に出力側まで伝達することができるスプリングリターン式電動アクチュエータである。
【００１７】
請求項２に係る発明によると、モータ駆動時にはギヤとピニオンが確実に噛合して駆動力を出力軸まで伝達することができ、一方、スプリングリターン時には出力軸からの逆回転トルクを確実に緩和して歯車列の破損を防ぎ、また、手動操作時には、出力軸からモータ軸への回転伝達を遮断して軽い操作力で操作することができるスプリングリターン式電動アクチュエータである。
【００１８】
請求項３及び４に係る発明によると、低コストで弾性体を設けることができ、歯車列が複雑化することなくギヤとピニオンによるクラッチ機能を発揮することができるスプリングリターン式電動アクチュエータである。
【００１９】
請求項５に係る発明によると、部品点数が増えることなく、また、構造を簡素化できることで製造コストを抑えることができ、歯車列の組立て時の作業を簡略化することもできるスプリングリターン式電動アクチュエータである。
【発明を実施するための最良の形態】
【００２０】
本発明におけるスプリングリターン式電動アクチュエータの一例を実施形態に基づいて詳しく説明する。
図１に示したアクチュエータ本体１０において、ケーシング１１は上板１１ａとギヤケース１１ｂより成っている。また、アクチュエータ本体１０は、図示しないカバーにより上面側から覆われている。
出力軸１２は、図示しないボールバルブやバタフライバルブ等の回転弁などの被駆動体である弁体に駆動力を伝達可能に設けている。この出力軸１２は、上板１１ａに装着した軸受３４とギヤケース１１ｂの貫通穴３５を介してケーシング１１に回転自在に軸着され、上板１１ａの上面側に載置固定されたモータ１３が回転したときに、この動力が伝達されるようにしている。また、出力軸１２の軸周りには、ねじりコイルばね（スプリング）１４が装着され、このねじりコイルばね１４を駆動手段として出力軸１２を逆回転可能に設けている。ねじりコイルばね１４は、一端部を出力軸１２に固定した係合部材１６に係合し、他端部を上板１１ａに形成した図示しない取付穴に掛止している。これにより、モータ１３からの動力により出力軸１２が正回転したときに、このモータの回転によりねじりコイルばね１４を巻き上げて逆回転用のリターントルクをこのねじりコイルばね１４に蓄勢し、この蓄勢力で出力軸１２を逆回転可能にしている。ねじりコイルばねは、２個であってもよく、この場合、高トルクのリターントルクを蓄勢することができる。
【００２１】
上板１１ａとギヤケース１１ｂの間には複数の歯車からなる歯車列１８を設けており、この歯車列１８を介してモータ１３からの動力を出力軸１２まで伝達可能にしている。
歯車列１８において、第１歯車２０は、モータ１３の回転軸１３ａに固着され、この第１歯車２０には第２歯車２１が噛合している。第２歯車２１には第３歯車２２が一体成形され、第２歯車２１と第３歯車２２は一体に回転するようにしている。
【００２２】
ギヤ２３は、第３歯車２２に噛合するように取付けられ、このギヤ２３と同軸上にはピニオン２５を取付けている。ピニオン２５の上面側には、図５に示すような突状の緩衝部２５ｂを設け、この緩衝部２５ｂを上板１１ａに接触させることにより接触面積を少なくしており、これによりスムーズに回転できるように設けている。ギヤ２３とピニオン２５は、上板１１ａとギヤケース１１ｂとの間に固定された取付軸３７に貫通孔２３ａ、２５ａを介して回転自在に取付けられ、それぞれ独立して回転可能に設けている。
ピニオン２５は第４歯車２９に噛合しており、この第４歯車２９には第５歯車３０が一体成形されて、第４歯車２９と第５歯車３０が一体に回転するようにしている。第５歯車３０には第６歯車３１が噛合しており、この第６歯車３１には第７歯車３２が一体成形されて、第６歯車３１と第７歯車３２が一体に回転するようにしている。
【００２３】
第７歯車３２は扇歯車３３に噛合しており、この扇歯車３３が出力軸１２と同軸に固着されていることで扇歯車３３と出力軸１２が一体に回転するようにしている。扇歯車３３は９０度の円弧状に形成され（図示せず）、ケーシング１１内において、この扇歯車３３が弁開・弁閉時に当接する位置に図示しないストッパをそれぞれ設けている。弁開・弁閉時には、扇歯車３３の側面が各ストッパに当接することにより、出力軸１２の動作が９０度の範囲内に規制され、回転弁が確実に９０度開閉動作を行うようにしている。
【００２４】
第２・第３歯車２１・２２、第４・第５歯車２９・３０、第６・第７歯車３１・３２は、上板１１ａとギヤケース１１ｂとの間にそれぞれ固定された取付軸３６、３８、３９に回転自在に取付けられ、これらに第１歯車２０、ギヤ２３とピニオン２５、扇歯車３３を加えて歯車列１８を構成している。本実施形態においては、各歯車を樹脂によって形成しているが、金属やその他の材料で形成するようにしてもよい。
【００２５】
図２ないし図６に示すように、ギヤ２３とピニオン２５との組合わせ位置にはそれぞれらせん状の突起部２４、２６を設け、この突起部２４、２６を互いに噛合可能に設けている。突起部２４、２６は、噛合可能であれば少なくとも１つ以上の突起であればよく、各突起部２４、２６の対向する面にらせん面２４ａ、２６ａを形成し、ギヤ２３とピニオン２５の回転方向側に噛合面２４ｂ、２６ｂをそれぞれ形成している。らせん面２４ａ、２６ａの立ち上がり角度は何度に形成してもよいが、突起部２４、２６同士の噛み合いの強さを考慮した場合、噛合面２４ｂ、２６ｂの噛み合う面積が大きいほど噛み合い強さが大きくなるため、これらの面積を大きくするためにらせん面２４ａ、２６ａの立ち上がり角度をある程度大きくするのがよい。
【００２６】
弾性体である圧縮コイルばね（コイルばね）２７は、ギヤ２３の下面２３ｂを支受けし、ギヤ２３とピニオン２５とが噛合する方向にギヤ２３を弾発付勢させている。弾性体２７は、ギヤ２３とピニオン２５が噛合する方向に弾発するものであれば圧縮コイルばね以外の形状に設けるようにしてもよく、また、弾性体２７の材料としては、金属以外であってもよく、例えば、ゴムや樹脂等の材料で形成してもよい。さらに、弾性体以外の手段でギヤとピニオンを噛合方向に弾発させるようにしてもよく、例えば、空気圧や油圧式などを利用した弾発手段であってもよい。
【００２７】
次に、本発明のスプリングリターン式電動アクチュエータの上記実施形態における動作を説明する。
モータ１３に通電してこのモータ１３を正回転させると、この回転は第１歯車２０、第２・第３歯車２１・２２を介してギヤ２３に伝達され、ギヤ２３とピニオン２５は、図３、図５に示した状態となる。
このとき、ギヤ２３は、図５において矢印Ａの方向に回転し、圧縮コイルばね２７の弾発付勢によってピニオン２５の方向に押圧され、ギヤ２３の突起部２４とピニオン２５の突起部２６が噛合し、ギヤ２３とピニオン２５が組合わさった一体化した歯車体２８が形成される。ギヤ２３、ピニオン２５において、図２に示した対向するらせん面２４ａ、２６ａ、及び噛合面２４ｂ、２６ｂは、それぞれ噛み合った状態となる。
この状態でモータ１３の回転によりギヤ２３が回転すると、この回転力は、主に噛合面２４ｂから噛合面２６ｂへと伝わり、突起部２４と突起部２６が噛合しながらギヤ２３からピニオン２５へとこの回転力が伝達され、ピニオン２５がＡ´方向に回転する。ギヤ２３は圧縮コイルばね２７の弾発付勢により図において下方向にずれることがなく、確実に回転力が伝達される。
【００２８】
この回転は、第４・第５歯車２９・３０、第６・第７歯車３１・３２を介して扇歯車３３に伝達され、扇歯車３３が回転することでこの扇歯車３３と一体の出力軸１２が回転する。扇歯車３３が弁開側のストッパに当接すると回転を停止し、このとき出力軸１２は略９０°回転した状態となり、回転弁は開状態となる。ねじりコイルばね１４には逆回転用のリターントルクが蓄勢される。
【００２９】
モータ１３への通電を停止すると、出力軸１２がねじりコイルばね１４のリターントルクによってモータ１３の回転時と逆方向に回転し、この回転力は扇歯車３３、第７・第６歯車３２・３１、第５・第４歯車３０・２９へと順次伝達される。
第４歯車２９からピニオン２５にこの回転が伝達されると、ピニオン２５は図５において矢印Ｂの方向に回転する。ピニオン２５の回転力は、ギヤ２３に伝わる際に主に噛合面２６ｂから噛合面２４ｂへと伝わり、ギヤ２３は圧縮コイルばね２７によりピニオン２５側に弾発付勢されているため、図５においてＢ´方向に回転する。この回転は出力軸１２が略９０°回転するまで行われ、扇歯車３３の側面が弁閉側のストッパに当接したときに回転が停止し、回転弁が閉状態となる。
弁体の回転停止に伴って第７・第６歯車３２・３１、第５・第４歯車３０・２９が順次停止し、ピニオン２５も回転を停止する。
【００３０】
ピニオン２５が回転を停止すると、この力はピニオン２５のらせん面２６ａからギヤ２３のらせん面２４ａに伝わろうとするが、らせん面２６ａ、２４ａはテーパ状であるため、これらの間には滑りが生じる方向に力が働く。ギヤ２３の下面側には圧縮コイルばね２７を設けていることにより、ギヤ２３は、この圧縮コイルばね２７を収縮させるように図４、図６において下方向に移動して突起部２４と突起部２６の噛合が外れ、このギヤ２３は、らせん面２４ａがらせん面２６ａ上を滑るように慣性力によってＢ´方向への回転を続ける。
このように、スプリングリターン時においては、急停止するピニオン２５に対してギヤ２３が空転することで出力軸１２からの力が直接モータ１３に伝わることがなく、モータ１３への衝撃を緩和し、歯車等の破損を防ぐことができる。
【００３１】
回転弁を手動操作により閉状態から開状態にする場合には、出力軸１２をモータ１３の通電時と同じ回転方向に直接回転させることによって行う。
出力軸１２をねじりコイルばね１４のリターントルクに抗して弁開方向に回転させると、この回転力は扇歯車３３から第７・第６歯車３２・３１、第５・第４歯車３０・２９を介してピニオン２５に伝達され、ピニオン２５は図５においてＡ´方向に回転する。このときのピニオン２５からギヤ２３への回転伝達力は、らせん面２６ａかららせん面２４ａに伝わろうとするため、図６に示すようにギヤ２３は圧縮コイルばね２７を収縮させながら下方向に移動し、ピニオン２５の突起部２６がギヤ２３の突起部２４を滑るようにしながらピニオン２５が空転する。
よって、出力軸１２を手動回転したときにこの回転トルクがモータ１３まで伝達されることはなく、手動操作時には、ねじりコイルばね１４に抗するような微力の回転トルクを加えることで操作でき、モータ１３を回転させることがないため軽い操作力で操作することができる。
【００３２】
以上のように、歯車体２８は、突起部２４、２６同士が噛合する回転方向では回転伝達が行われ、突起部２４、２６同士が滑る回転方向では回転伝達が行われないラチェット機構としているので、スプリングリターン時の衝撃力を緩和しつつ、手動操作時には軽い力で操作でき、小型のギヤ２３とピニオン２５をこの歯車体２８を実現することによって部品点数の増加や大型化を防ぎ、コストアップを抑えることができる。
【００３３】
本実施形態においては、歯車体２８を第３歯車２２と第４歯車２９の間に設けるようにしているが、この歯車体を歯車列１８の一部として任意の位置に設けるようにしてもよい。その際、前述したように、モータ１３の駆動力を伝達する力は、主に噛合面２４ｂ及び噛合面２６ｂに加わるため、この噛合面２４ｂ、２６ｂに対してできるだけ小さいトルクが加わるようにして歯車体２８が破損するのを防ぐ必要がある。このため、トルクの小さい側であるモータ１３寄りに歯車体２８を配設するのが望ましい。
また、歯車体２８のギヤ２３、ピニオン２５の図示しないピッチ円や歯数を変えることによって減速比などを適宜変更することができ、歯車列１８全体を異なる仕様で設計することができ、上述のように、突起部２４と突起部２６の噛合によって動力伝達が行われるため、トルクロスの発生が防がれる。
【００３４】
ここで、圧縮コイルばね２７の自由長を決める際には、この圧縮コイルばね２７のたわみ量を考慮しなければならない。たわみ量が小さいと、図３において圧縮コイルばね２７の位置がギヤ２３の自重により下がって突起部２４と突起部２６の噛合状態が悪くなり、一方、たわみ量が大きいと、噛み合いの状態は良くなるが逆回転時のギヤ２３の反発力も大きくなるため突起部２４、２６が傷ついたり、騒音が発生したりすることにも繋がるおそれがある。
従って、以下の式によりたわみの値を計算し、このたわみを考慮して圧縮コイルばね２７の自由長を定めるようにするのがよい。
δ＝８ＮＤ３Ｐ／Ｇｄ４
ここで、δ：たわみ量、Ｎ：圧縮コイルばねの巻数、Ｄ：圧縮コイルばねの平均径、Ｐ：圧縮コイルばねに加わる荷重（ギヤ２３の自重）、Ｇ：圧縮コイルばねの材料の横弾性係数、ｄ：材料直径とする。
【００３５】
図７においては、本発明における電動アクチュエータの他の実施形態を示している。
この実施形態においては、歯車体４０を構成するギヤ４１とピニオン４２を樹脂によって形成し、このギヤ４１とピニオン４２に弾性体４３、４４をそれぞれ一体に成形したものである。各弾性体４３、４４は、図に示すように断面略Ｃ字状の環状に形成しており、これにより各弾性部４３、４４が噛合する方向に弾性を有し、歯車列の正回転時においてギヤ４１の突起部４５とピニオン４２の突起部４６が確実に噛合できるようにしている。
【００３６】
歯車体４０においては、ギヤ４１とピニオン４２の双方に弾性体４３、４４を設けるようにしているが、モータの回転時にギヤとピニオンが噛合して回転伝達が行われ、モータの停止時又は手動操作時にピニオンとギヤが空転できるような構成であれば、ギヤとピニオンの何れか一方に弾性体を設けるようにしてもよく、また、弾性作用を有する形状であれば、断面Ｃ字形状に拘ることなく、各種の形状に形成することもできる。
【図面の簡単な説明】
【００３７】
【図１】本発明のスプリングリターン式電動アクチュエータの内部機構を示した概略断面図である。
【図２】歯車体を示した拡大斜視図である。
【図３】正回転時における歯車列の状態を示した一部拡大断面図である。
【図４】逆回転時における歯車列の状態を示した一部拡大断面図である。
【図５】正回転時における歯車体の組合わせ状態を示した拡大斜視図である。
【図６】逆回転時における歯車体の組合わせ状態を示した拡大斜視図である。
【図７】本発明における電動アクチュエータの他の実施形態の歯車体を示した一部切欠き拡大断面図である。
【符号の説明】
【００３８】
１０  アクチュエータ本体
１２  出力軸
１３  モータ
１４  ねじりコイルばね（スプリング）
１８  歯車列
２３  ギヤ
２４  突起部
２５  ピニオン
２６  突起部
２７  圧縮コイルばね（弾性体、コイルばね）
２８  歯車体
【図１】
2006316844.tif 000003
【図２】
2006316844.tif 000004
【図３】
2006316844.tif 000005
【図４】
2006316844.tif 000006
【図５】
2006316844.tif 000007
【図６】
2006316844.tif 000008
【図７】
2006316844.tif 000009